【手続補正書】
【提出日】平成19年4月3日(2007.4.3)
【手続補正１】
【補正対象書類名】明細書
【補正対象項目名】発明の名称
【補正方法】変更
【補正の内容】
【発明の名称】コンテンツ提供システムおよびコンテンツ提供方法
【手続補正２】
【補正対象書類名】明細書
【補正対象項目名】特許請求の範囲
【補正方法】変更
【補正の内容】
【特許請求の範囲】
【請求項１】  コンテンツに割り振られたコンテンツ識別情報を読み取って記録するコンテンツ識別情報読取手段と、
前記記録されたコンテンツ識別情報を読み出し、ネットワークを介してサーバへ送信するコンテンツ識別情報送信手段とを備え、
前記サーバは、
送信されてくる前記コンテンツ識別情報によってコンテンツを特定し、特定したコンテンツを前記ネットワークを介して送信する
ことを特徴とするコンテンツ提供システム。
【請求項２】  コンテンツに割り振られたコンテンツ識別情報を読み取って記録するコンテンツ識別情報読取手段と、
顧客管理情報をネットワークを介してサーバへ送信する顧客管理情報送信手段とを備え、
前記サーバは、
送信されてくる前記顧客管理情報の認証を行って、前記記録されたコンテンツ識別情報を前記ネットワークを介して取得し、取得したコンテンツ識別情報によってコンテンツを特定し、特定したコンテンツを前記ネットワークを介して送信する
ことを特徴とするコンテンツ提供システム。
【請求項３】  請求項１又は２において、前記サーバから送信されてくるコンテンツを受信するコンテンツ受信手段を備えることを特徴とするコンテンツ提供システム。
【請求項４】  請求項１〜３の何れか１項において、前記サーバは、前記特定したコンテンツに加えて付加情報を送信することを特徴とするコンテンツ提供システム。
【請求項５】  請求項４において、前記付加情報がコンテンツの詳細説明や関連情報，関連情報を識別するための識別情報であることを特徴とするコンテンツ提供システム。
【請求項６】  請求項４において、前記付加情報が顧客の嗜好情報や嗜好情報を識別するための識別情報であることを特徴とするコンテンツ提供システム。
【請求項７】  コンテンツに割り振られたコンテンツ識別情報を読み取って記録するステップと、
前記記録されたコンテンツ識別情報を読み出し、ネットワークを介してサーバへ送信するステップと、
前記サーバにおいて、送信されてくる前記コンテンツ識別情報によってコンテンツを特定し、特定したコンテンツを前記ネットワークを介して送信するステップと
を備えることを特徴とするコンテンツ提供方法。
【手続補正３】
【補正対象書類名】明細書
【補正対象項目名】０００１
【補正方法】変更
【補正の内容】
【０００１】
【発明の属する技術分野】
この発明は、店舗などで顧客へ楽曲などのコンテンツを提供するコンテンツ提供システムおよびコンテンツ提供方法に関するものである。
【手続補正４】
【補正対象書類名】明細書
【補正対象項目名】０００７
【補正方法】変更
【補正の内容】
【０００７】
本発明はこのような課題を解決するためになされたもので、その目的とするところは、コンテンツ提供装置１台当たりの顧客占有時間の短縮（利用率の向上）、コンテンツ提供装置の小型化の促進、大量コンテンツへの対応などを可能とするコンテンツ提供システムおよびコンテンツ提供方法を提供することにある。
【手続補正５】
【補正対象書類名】明細書
【補正対象項目名】０００８
【補正方法】変更
【補正の内容】
【０００８】
【課題を解決するための手段】
このような目的を達成するために本発明は、コンテンツに割り振られたコンテンツ識別情報を読み取って記録するコンテンツ識別情報読取手段と、記録されたコンテンツ識別情報を読み出し、ネットワークを介してサーバへ送信するコンテンツ識別情報送信手段とを設け、サーバにおいて、送信されてくるコンテンツ識別情報によってコンテンツを特定し、特定したコンテンツをネットワークを介して送信するようにしたものである。
この発明によれば、コンテンツに割り振られたコンテンツ識別情報が読み出されて記録され、ネットワークを介してサーバへ送信される。サーバは、送信されてくるコンテンツ識別情報によってコンテンツを特定し、特定したコンテンツをネットワークを介して送信する。この送信されたコンテンツは顧客に提供される。
【手続補正６】
【補正対象書類名】明細書
【補正対象項目名】０００９
【補正方法】変更
【補正の内容】
【０００９】
また、本発明は、コンテンツに割り振られたコンテンツ識別情報を読み取って記録するコンテンツ識別情報読取手段と、顧客管理情報をネットワークを介してサーバへ送信する顧客管理情報送信手段とを設け、サーバにおいて、送信されてくる顧客管理情報の認証を行って、記録されたコンテンツ識別情報をネットワークを介して取得し、取得したコンテンツ識別情報によってコンテンツを特定し、特定したコンテンツをネットワークを介して送信するようにしたものである。
この発明によれば、顧客管理情報がネットワークを介してサーバへ送信される。サーバは、送信されてくる顧客管理情報の認証を行って、記録されているコンテンツ識別情報をネットワークを介して取得し、取得したコンテンツ識別情報によってコンテンツを特定し、特定したコンテンツをネットワークを介して送信する。この送信されたコンテンツは顧客に提供される。
【手続補正７】
【補正対象書類名】明細書
【補正対象項目名】００１０
【補正方法】変更
【補正の内容】
【００１０】
本発明において、コンテンツに加えて付加情報をサーバから送信するようにしてもよい。付加情報としては、コンテンツの詳細説明や関連情報，関連情報を識別するための識別情報、顧客の嗜好情報や嗜好情報を識別するための識別情報などが考えられる。
【手続補正８】
【補正対象書類名】明細書
【補正対象項目名】００３９
【補正方法】変更
【補正の内容】
【００３９】
【発明の効果】
以上説明したことから明らかなように本発明によれば、コンテンツに割り振られたコンテンツ識別情報を読み取って記録し、記録されたコンテンツ識別情報を読み出し、ネットワークを介してサーバへ送信し、サーバにおいて、送信されてくるコンテンツ識別情報によってコンテンツを特定し、特定したコンテンツをネットワークを介して送信するようにしたので、コンテンツ提供装置からコンテンツの選択画面やバーコード読取機能をなくして小型化を促進し、コンテンツ提供装置の店舗への複数配置が可能となる。
また、コンテンツ提供装置まで商品を持って行かなくてもよく、コンテンツ提供装置でのコンテンツ識別情報の入力時間を短くし、コンテンツ提供装置１台当たりの顧客占有時間の短縮（利用率の向上）を図ることが可能となる。
また、サーバ側でコンテンツを一元管理することにより、大量コンテンツへの対応が可能となる。また、コンテンツ識別情報を読み取って記憶することにより、顧客側の好きな時間にコンテンツを取り出すことが可能となり、コンテンツ提供装置が配備された別店舗などの任意の場所でのコンテンツの取り出しも可能となる。
【手続補正９】
【補正対象書類名】明細書
【補正対象項目名】００４０
【補正方法】変更
【補正の内容】
【００４０】
また、本発明によれば、コンテンツに割り振られたコンテンツ識別情報を読み取って記録するようにする一方、顧客管理情報をネットワークを介してサーバへ送信し、サーバにおいて、送信されてくる顧客管理情報の認証を行って、記録されたコンテンツ識別情報をネットワークを介して取得し、取得したコンテンツ識別情報によってコンテンツを特定し、特定したコンテンツをネットワークを介して送信するようにしたので、上述した効果に加えて、認証されない場合にはコンテンツを提供しないようにし、不正な使用を未然に防止することが可能となる。また、顧客管理情報の認証以外に、顧客管理情報を利用することにより、それまでの利用状況から顧客の嗜好を判断し、顧客の嗜好情報をコンテンツに付加して提供するなどのサービスも可能となる。